(57)【要約】【課題】開口部から取り外した蓋を置くスペースを天井に設ける必要がなく、天井の省スペース化を図ることができるエレベータ装置を得る。【解決手段】この発明に係るエレベータ装置１は、天井２ａに開口部２ｂが形成された昇降路２と、開口部２ｂ内に設けられ、かご８を吊り下げたロープ６が巻き掛けられた綱車を有した巻上機５と、天井２ａに設けられ、開口部２ｂおよび巻上機５を覆う蓋７と、昇降路２の上部に設けられ、蓋７により開口部２ｂを開閉する蓋開閉手段１４とを備えている。【選択図】図１
2008230765.tif 000002
【特許請求の範囲】
【請求項１】
天井に開口部が形成された昇降路と、
前記開口部内に設けられ、かごを吊り下げたロープが巻き掛けられた綱車を有した巻上機と、
前記天井に設けられ、前記開口部および前記巻上機を覆う蓋と、
前記昇降路の上部に設けられ、前記蓋により前記開口部を開閉する蓋開閉手段とを備えたことを特徴とするエレベータ装置。
【請求項２】
前記昇降路には、前記蓋による前記開口部の開閉状態を検出する検出手段が設けられていることを特徴とする請求項１に記載のエレベータ装置。
【請求項３】
前記蓋開閉手段は、一端部が前記蓋に接続され、他端部が前記昇降路に接続され、前記前記蓋を上下方向に移動させる移動機構を有していることを特徴とする請求項１または請求項２に記載のエレベータ装置。
【請求項４】
前記蓋と前記天井との間には、前記移動機構の作動により前記蓋が上方向に移動したときに、前記蓋と前記天井との間から異物が侵入するのを防止する異物侵入防止手段が設けられていることを特徴とする請求項３に記載のエレベータ装置。
【請求項５】
前記蓋開閉手段は、前記開口部に収納可能に設けられていることを特徴とする請求項１ないし請求項４の何れか１項に記載のエレベータ装置。
【発明の詳細な説明】
【技術分野】
【０００１】
この発明は、天井に開口部が形成された昇降路と、この開口部内に設けられた巻上機とを備えたエレベータ装置に関する。
【背景技術】
【０００２】
従来、天井に開口部が形成された昇降路と、前記開口部内に設けられ、かごを吊り下げたロープが巻き掛けられた綱車を有した巻上機と、前記天井に設けられ、前記開口部および前記巻上機を覆う蓋とを備えたエレベータ装置が知られている（例えば、特許文献１参照）。
【０００３】
【特許文献１】特開２００１−６３９３４号公報
【発明の開示】
【発明が解決しようとする課題】
【０００４】
しかしながら、このものの場合、例えば、巻上機の点検作業を行う際に、開口部から取り外した蓋を置くスペースを天井に設けなければならないという問題点があった。
【０００５】
この発明は、上述のような問題点を解決することを課題とするものであって、その目的は、開口部から取り外した蓋を置くスペースを天井に設ける必要がなく、天井の省スペース化を図ることができるエレベータ装置を提供するものである。
【課題を解決するための手段】
【０００６】
この発明に係るエレベータ装置は、天井に開口部が形成された昇降路と、前記開口部内に設けられ、かごを吊り下げたロープが巻き掛けられた綱車を有した巻上機と、前記天井に設けられ、前記開口部および前記巻上機を覆う蓋と、前記昇降路の上部に設けられ、前記蓋により前記開口部を開閉する蓋開閉手段とを備えている。
【発明の効果】
【０００７】
この発明に係るエレベータ装置によれば、開口部から取り外した蓋を置くスペースを天井に設ける必要がなく、天井の省スペース化を図ることができる。
【発明を実施するための最良の形態】
【０００８】
以下、この発明の各実施の形態を図に基づいて説明するが、各図において、同一または相当の部材、部位については、同一符号を付して説明する。
実施の形態１．
図１は実施の形態１に係るエレベータ装置１の部分縦断面図、図２は図１のエレベータ装置１の平断面図である。
実施の形態１に係るエレベータ装置１は、天井２ａに開口部２ｂが形成された昇降路２と、この昇降路２の側面に、昇降路２の底面から天井２ａに渡って鉛直方向に沿って設けられた一対のかご用ガイドレール３および一対の釣合い錘用ガイドレール４とを備えている。
開口部２ｂ内には、綱車を有した巻上機５が設けられており、この巻上機５の綱車には、ロープ６が巻き掛けられている。
天井２ａの上側には、開口部２ｂおよび巻上機５を覆う蓋７が設けられている。
【０００９】
昇降路２内には、かご用ガイドレール３に沿って摺動可能なかご８と、釣合い錘用ガイドレール４に沿って摺動可能な釣合い錘９とが設けられている。
綱車に巻き掛けられたロープ６の一端部は、かご８の上方に設けられた返し車１０を介して下方へ向かい、かご８の下方に設けられた２つの吊車１１を介して、再び上方へ向かい、昇降路２の天井２ａに接続されている。
ロープ６の他端部は、かご８上方に設けられた返し車１２を介して下方へ向かい、釣合い錘９の上方に設けられた吊車１３を介して、再び上方へ向かい、昇降路２の天井２ａに接続されている。
【００１０】
昇降路２の天井２ａには、蓋７により開口部２ｂを開閉する蓋開閉手段１４が設けられ、この蓋開閉手段１４は、一端部が蓋７に固定され、他端部が天井２ａの上面に固定され、蓋７を上下方向に移動させる移動機構１４ａと、この移動機構１４ａを作動させる図示しないモータとを有している。
また、この蓋開閉手段１４は、昇降路２内に設けられた図示しないスイッチを操作することにより、モータを駆動させ、移動機構１４ａを作動させて、蓋７により開口部２ｂを開閉することができる。
なお、移動機構１４ａは、手動で作動させてもよい。
開口部２ｂには、蓋７による開口部２ｂの開閉状態を検出する検出手段１５が設けられており、この検出手段１５は、かご８の昇降を制御する図示しない制御部に電気的に接続されている。
なお、図１のかご８の位置は、エレベータ装置１の通常運転時におけるかご８の最上階停止位置となっている。
【００１１】
図３は昇降路２の上部の機器を保守・点検する際のエレベータ装置１の部分縦断面図である。
昇降路２の上部の機器を保守・点検する場合には、移動機構１４ａを作動させ、蓋７を上方向に移動させて、開口部２ｂを開く。
蓋７は水平を保ったまま上方へ移動するので、保守・点検を行う際に、蓋７が天井となり、雨天時であっても、かご８の上にいる作業者１６は、濡れにくくなり、快適に昇降路２の上部の機器の保守・点検を行うことができる。
【００１２】
図４は蓋７により開口部２ｂが閉じている場合に、かご８が所定の位置に配置されているときのエレベータ装置１の部分縦断面図である。
蓋７により開口部２ｂが閉じられている状態では、検出手段１５からの信号により、制御部は、かご８を所定の位置より上方へ移動しないように制御する。
これにより、蓋７が開口部２ｂを閉じているにもかかわらず、作業者１６が誤ってかご８を所定の位置より上方へ移動するように操作しても、かご８が開口部２ｂの近傍まで移動することを防止できる。
【００１３】
図５は蓋７と天井２ａとの間に揚重手段１７が設けられたエレベータ装置１の部分縦断面図である。
蓋７と天井２ａとの間には、開口部２ｂを跨ぐようにして、昇降路２の上部に備えられた機器を揚重する揚重手段１７が設けられている。
揚重手段１７は、天井２ａに固定された支持部材である揚重ビーム１７ａと、この揚重ビーム１７ａに吊り下げられ、昇降路２の上部に備えられた機器を揚重する揚重手段本体１７ｂとを有している。この揚重手段１７を用いて、巻上機５等の昇降路２の上部に備えられた機器の揚重を行うことができる。
また、揚重手段１７は、昇降路２の外側に設けることができるので、寸法の制限がなく、揚重するものの重量に合わせて、いろいろな大きさの揚重手段１７を用いることができる。
【００１４】
以上説明したように、実施の形態１に係るエレベータ装置１によると、昇降路２の天井２ａには、蓋７により開口部２ｂを開閉させる蓋開閉手段１４が設けられているので、開口部２ｂから取り外した蓋７を置くスペースを天井２ａに設ける必要がなく、天井２ａの省スペース化を図ることができる。
また、作業者１６が昇降路２内から操作することで、蓋開閉手段１４は蓋７を移動させて開口部２ｂを開閉するので、巻上機５の保守・点検時に、天井２ａの上側に作業者１６が行くことなく、蓋７を開口部２ｂから取り外すことができる。
【００１５】
また、昇降路２には、蓋７による開口部２ｂの開閉状態を検出する検出手段１５が設けられているので、蓋７が開口部２ｂを閉じているにもかかわらず、かご８が開口部２ｂの蓋７に接近することを防止することができる。
【００１６】
また、蓋７は、移動機構１４ａの作動により、水平を保ったまま上方へ移動するので、保守・点検を行う際に、蓋７が天井となり、雨天時であっても、かご８の上にいる作業者１６は、雨に濡れにくくなり、快適に昇降路２の上部の機器の保守・点検を行うことができる。
【００１７】
実施の形態２．
図６は、実施の形態２に係るエレベータ装置１の部分縦断面図である。
実施の形態２に係るエレベータ装置１は、蓋７と天井２ａとの間に、異物侵入防止手段である伸縮可能な防水シート１８が設けられている。
この防水シート１８によって、移動機構１４ａの作動により蓋７が上方向に移動し、開口部２ｂが開いたときに、蓋７と天井２ａとの間から異物である雨等が浸入してくるのを防止する。
その他の構成は、実施の形態１と同様である。
【００１８】
以上説明したように、実施の形態２に係るエレベータ装置１によると、蓋７と天井２ａとの間に、異物侵入防止手段である伸縮可能な防水シート１８が設けられているので、保守・点検時に、蓋７と天井２ａとの間から雨等が浸入してくるのを防止できる。その結果、作業者１６は、快適に作業を行うことができる。
【００１９】
実施の形態３．
図７は、実施の形態３に係るエレベータ装置１の部分縦断面図である。
実施の形態３に係るエレベータ装置１は、開口部２ｂの内周面の上側に凹部２ｃが形成され、その凹部２ｃの中に、蓋開閉手段１４が収納可能に設けられている。
また、蓋７の一部も、凹部２ｃに中に収納可能に設けられている。
蓋７の天井２ａと接触する面には、防水パッキン１９が全周に渡って設けられており、蓋７により開口部２ｂが閉じている場合には、蓋７と天井２ａとの隙間から雨水等の異物が浸入することを防止している。
その他の構成は、実施の形態１と同様である。
【００２０】
以上説明したように、実施の形態３に係るエレベータ装置１によると、蓋開閉手段１４が開口部２ｂに収納可能となっているので、天井２ａからの蓋７の突出量を小さくすることができる。その結果、突出した蓋７による建築物の日照権への影響および建築物の意匠性に与える影響を低減させることができる。
また、天井２ａと接触する蓋７の面には、防水パッキン１９が設けられているので、雨水等の昇降路２内への浸入を防止することができる。
【００２１】
なお、上記実施の形態１では、蓋７を上下方向に移動させる移動機構１４ａを有した蓋開閉手段１４について説明したが、勿論このものに限らず、例えば、蓋７を水平方向に移動させる移動機構１４ａを有した蓋開閉手段１４であってもよい。
【図面の簡単な説明】
【００２２】
【図１】実施の形態１に係るエレベータ装置の部分縦断面図である。
【図２】図１のエレベータ装置の平断面図である。
【図３】図１の昇降路の上部の機器を保守・点検する際のエレベータ装置の部分縦断面図である。
【図４】図１の蓋が開口部２ｂを閉じている場合の、かごが最高位置である所定の位置に配置されているときのエレベータ装置の部分縦断面図である。
【図５】図１の蓋と天井との愛代に揚重手段が設けられたエレベータ装置の部分縦断面図である。
【図６】実施の形態２に係るエレベータ装置の部分縦断面図である。
【図７】実施の形態３に係るエレベータ装置の部分縦断面図である。
【符号の説明】
【００２３】
１  エレベータ装置、２  昇降路、２ａ  天井、２ｂ  開口部、２ｃ  凹部、３  かご用ガイドレール、４  釣合い錘用ガイドレール、５  巻上機、６  ロープ、７  蓋、８  かご、９  釣合い錘、１０  返し車、１１  吊車、１２  返し車、１３  吊車、１４  蓋開閉手段、１４ａ  移動機構、１５  検出手段、１６  作業者、１７  揚重手段、１７ａ  揚重ビーム、１７ｂ  揚重装置本体、１８  防水シート、１９  防水パッキン。
【図１】
2008230765.tif 000003
【図２】
2008230765.tif 000004
【図３】
2008230765.tif 000005
【図４】
2008230765.tif 000006
【図５】
2008230765.tif 000007
【図６】
2008230765.tif 000008
【図７】
2008230765.tif 000009